【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
体内でプロテーゼを拡張するためのシステムであって、
形状記憶材料を備えているプロテーゼであって、該プロテーゼは、体内の所望の部位に送達されるように構成されている、プロテーゼと、
該プロテーゼの温度を人間の体温より上昇させ、該形状記憶材料の相を変化させ、それによって、該プロテーゼを拡張された状態に拡張するための手段と、
該プロテーゼの該温度を該人間の体温に減少させるための手段と
を備え、該プロテーゼは、該プロテーゼの該温度を減少させた後に、該拡張された状態を維持するように構成されている、システム。
【請求項２】
前記プロテーゼは、該プロテーゼの直径を拡張するように構成されている、請求項１に記載のシステム。
【請求項３】
前記温度を上昇させるための手段は、前記形状記憶材料の前記相をマルテンサイト状態からオーステナイト状態に変化させるように構成されている、請求項１に記載のシステム。
【請求項４】
前記プロテーゼは、第１のセグメントおよび第２のセグメントをさらに備え、該第１のセグメントは、該第２のセグメントに対して独立して拡張可能である、請求項１に記載のシステム。
【請求項５】
前記プロテーゼに隣接して熱を生成するための手段をさらに備える、請求項１に記載のシステム。
【請求項６】
前記プロテーゼを用いて熱を生成するための手段をさらに備える、請求項１に記載のシステム。
【請求項７】
前記プロテーゼは、動脈瘤の開口部の上に該プロテーゼの位置を決められるように構成されている、請求項１に記載のシステム。
【請求項８】
前記動脈瘤内に送達されるように構成されたプロテーゼコイルをさらに備える、請求項７に記載のシステム。
【請求項９】
人間の体内に配置するプロテーゼであって、
第１の相である間に第１の所定の形状を有し、第２の相である間に第２の所定の形状を有する、プロテーゼ本体を備え、
該第１の相から該第２の相への遷移は、人間の体温より高い温度で起り、
該第２の相から該第１の相への遷移は、該人間の体温より低い温度で起る、プロテーゼ。
【請求項１０】
前記プロテーゼ本体は、形状記憶材料を備えている、請求項９に記載のプロテーゼ。
【請求項１１】
前記第１の相はオーステナイト状態であり、前記第２の相はマルテンサイト状態である、請求項９に記載のプロテーゼ。
【請求項１２】
前記プロテーゼは、３７℃より高い、活性オーステナイト開始温度および活性オーステナイト終了温度をさらに含む、請求項９に記載のプロテーゼ。
【請求項１３】
前記活性オーステナイト終了温度は、約４０℃〜約５５℃の範囲内である、請求項１２に記載のプロテーゼ。
【請求項１４】
前記プロテーゼ本体は、第１のセグメントと第２のセグメントとをさらに備え、該第１のセグメントは、該第２のセグメントに対して独立して拡張可能である、請求項９に記載のプロテーゼ。
【請求項１５】
前記プロテーゼは内部の直径を有する管状の形状をさらに備え、該直径は、前記第１の所定の形状中に第１の長さを有し、前記第２の所定の形状中に第２の増加した長さを有する、請求項１４に記載のプロテーゼ。
【請求項１６】
体に入る形状の送達ツールと、
該送達ツールに取り外し可能に配置されたプロテーゼと
を備え、
該プロテーゼは、第１の形状記憶構成と第２の記憶形状構成とを含み、該プロテーゼは、約３７℃より高い温度で該第１の形状記憶構成から該第２の記憶形状構成に変化し、
該送達ツールは、該体内で該プロテーゼを選択的に加熱する、プロテーゼ送達システム。
【請求項１７】
前記送達ツールに配置された少なくとも１つの加熱要素をさらに備えている、請求項１６に記載のプロテーゼ送達システム。
【請求項１８】
前記プロテーゼは、複数の独立して拡張可能な領域をさらに備え、前記送達ツールは、複数の個々に作動可能なヒータをさらに備えている、請求項１６に記載のプロテーゼ送達システム。
【請求項１９】
前記複数の独立して拡張可能な領域の各々は、前記複数の個々に作動可能なヒータのうちの１つの対応するヒータの上に配置される、請求項１８に記載のプロテーゼ送達システム。
【手続補正２】
【補正対象書類名】明細書
【補正対象項目名】００１１
【補正方法】変更
【補正の内容】
【００１１】
本発明は、例えば、以下を提供する：
（項目１）
体内でプロテーゼを拡張する方法であって、
形状記憶材料を備えているプロテーゼを提供することと、
体内の所望の部位に該プロテーゼを送達することと、
該プロテーゼの温度を人間の体温より上昇させ、該形状記憶材料の相を変化させ、それによって、該プロテーゼを拡張された状態に拡張することと、
該拡張された状態を維持しながら、該プロテーゼの該温度を該人間の体温に減少させることと
を包含する、方法。
（項目２）
上記プロテーゼを拡張することは、該プロテーゼの直径を拡張することをさらに包含する、項目１に記載の方法。
（項目３）
上記温度を上昇させることは、上記形状記憶材料の上記相をマルテンサイト状態からオーステナイト状態に変化させることをさらに包含する、項目１に記載の方法。
（項目４）
上記プロテーゼを拡張された状態に上記拡張することは、該プロテーゼの第１のセグメントを拡張することと、該プロテーゼの第２のセグメントを拡張することとをさらに包含する、項目１に記載の方法。
（項目５）
上記プロテーゼを上記拡張することは、該プロテーゼに隣接して熱を生成することをさらに包含する、項目１に記載の方法。
（項目６）
上記プロテーゼを上記拡張することは、該プロテーゼを用いて熱を生成することをさらに包含する、項目１に記載の方法。
（項目７）
上記プロテーゼを体内の所望の部位に上記送達することは、
動脈瘤を捜し出すことと、
該動脈瘤の開口部の上に該プロテーゼの位置を決めること
をさらに包含する、項目１に記載の方法。
（項目８）
形状記憶材料を備えているプロテーゼを上記提供することは、その後、上記動脈瘤内にプロテーゼコイルを送達することが続く、項目１に記載の方法。
（項目９）
体内に配置するプロテーゼであって、
第１の相である間に第１の所定の形状を有し、第２の相である間に第２の所定の形状を有する、プロテーゼ本体を備え、
該第１の相から該第２の相への遷移は、人間の体温より高い温度で起り、
該第２の相から該第１の相への遷移は、該人間の体温より低い温度で起る、プロテーゼ。
（項目１０）
上記プロテーゼ本体は、形状記憶材料を備えている、項目９に記載のプロテーゼ。
（項目１１）
上記第１の相はオーステナイト状態であり、上記第２の相はマルテンサイト状態である、項目９に記載のプロテーゼ。
（項目１２）
上記プロテーゼは、３７℃より高い、活性オーステナイト開始温度および活性オーステナイト終了温度をさらに含む、項目９に記載のプロテーゼ。
（項目１３）
上記活性オーステナイト終了温度は、約４０℃〜約５５℃の範囲内である、項目１２に記載のプロテーゼ。
（項目１４）
上記プロテーゼ本体は、第１のセグメントと第２のセグメントとをさらに備え、該第１のセグメントは、該第２のセグメントに対して独立して拡張可能である、項目９に記載のプロテーゼ。
（項目１５）
上記プロテーゼは内部の直径を有する管状の形状をさらに備え、該直径は、上記第１の所定の形状中に第１の長さを有し、上記第２の所定の形状中に第２の増加した長さを有する、項目１４に記載のプロテーゼ。
（項目１６）
体に入る形状の送達ツールと、
該送達ツールに取り外し可能に配置されたプロテーゼと
を備え、
該プロテーゼは、第１の形状記憶構成と第２の記憶形状構成とを含み、該プロテーゼは、約３７℃より高い温度で該第１の形状記憶構成から該第２の記憶形状構成に変化し、
該送達ツールは、該体内で該プロテーゼを選択的に加熱する、プロテーゼ送達システム。
（項目１７）
上記送達ツールに配置された少なくとも１つの加熱要素をさらに備えている、項目１６に記載のプロテーゼ送達システム。
（項目１８）
上記プロテーゼは、複数の独立して拡張可能な領域をさらに備え、上記送達ツールは、複数の個々に作動可能なヒータをさらに備えている、項目１６に記載のプロテーゼ送達システム。
（項目１９）
上記複数の独立して拡張可能な領域の各々は、上記複数の個々に作動可能なヒータのうちの１つの対応するヒータの上に配置される、項目１８に記載のプロテーゼ送達システム。
本発明は、選択的に拡張され得るプロテーゼを提供することによってこれらの目的を達成するように努める。一好ましい実施形態において、プロテーゼは、平均体温より高い温度に加熱されたとき拡張する形状記憶材料から構成される。プロテーゼの内部に位置を決められるヒータが起動されたとき、プロテーゼの形状記憶材料は所定の形状に拡張する。